(57)【特許請求の範囲】
【請求項１】
筐体に配置されたタッチパネルと、
前記タッチパネル上の各接触位置への接触を検出する接触検出部と、
前記タッチパネル上の縁近傍における１以上の各特定位置を除外して、接触操作により実行される既定の処理が対応付けられた１以上の各特定表示物を当該タッチパネル上に表示させると共に、当該タッチパネル上の各特定位置に、前記筐体を保持するユーザが自己の指を置くべき位置を示す画像を表示させる表示制御部とを備え、
前記表示制御部は、更に、
前記接触検出部が接触を検出しなくなってから一定時間以上経過した特定位置に表示させている前記画像の表示を停止させ、
前記タッチパネルへの前記画像の表示を停止させている場合には、当該画像を表示させていた当該タッチパネル上の前記特定位置を除外することなく、前記特定表示物を表示させる
ことを特徴とする携帯端末。
【請求項２】
筐体に配置されたタッチパネルと、
前記タッチパネル上の各接触位置への接触を検出する接触検出部と、
前記タッチパネル上の縁近傍における複数の特定位置を除外して、接触操作により実行される既定の処理が対応付けられた１以上の各特定表示物を当該タッチパネル上に表示させると共に、当該タッチパネル上の各特定位置に、前記筐体を保持するユーザが自己の指を置くべき位置を示す画像を表示させる表示制御部とを備え、
前記表示制御部は、更に
前記接触検出部が一の特定位置への接触を検出した場合において、他の特定位置への接触を検出していないときには、当該他の特定位置に表示させている前記画像の表示を停止させ、
前記タッチパネルへの前記画像の表示を停止させている場合には、当該画像を表示させていた当該タッチパネル上の前記特定位置を除外することなく、前記特定表示物を表示させる
ことを特徴とする携帯端末。
【請求項３】
前記表示制御部は、
前記タッチパネル上の各特定位置を除外するように前記タッチパネル上の領域を特定し、当該領域内に各特定表示物を表示させる
ことを特徴とする請求項１又は２記載の携帯端末。
【請求項４】
前記表示制御部は、
既定の処理が対応付けられていない表示物については、前記タッチパネル上の前記特定位置を除外することなく表示させ、当該特定位置に表示されている当該表示物の部分に重ねて前記画像を表示させる
ことを特徴とする請求項１又は２記載の携帯端末。
【請求項５】
前記携帯端末は、更に
自端末に生じる地面方向への重力を加速度として検出する加速度センサを備え、
前記各特定位置は、自端末の筐体の向き毎に予め定められており、
前記表示制御部は、
前記加速度センサによる検出結果に基づいて、自端末の筐体の向きに応じた各特定位置を除外して、各特定表示物を当該タッチパネル上に表示させる
ことを特徴とする請求項１又は２記載の携帯端末。
【請求項６】
前記携帯端末は、複数の筐体からなるものであり、
前記タッチパネルが配置されている筐体とは異なる筐体に配置された他のタッチパネルを備え、
前記各特定位置は、各タッチパネルそれぞれに少なくとも１つずつ存在し、
前記表示制御部は、更に
前記接触検出部が１つの特定位置への接触を検出した場合に、他の特定位置に表示されている前記画像の表示を停止する
ことを特徴とする請求項１又は２記載の携帯端末。
【請求項７】
筐体に配置されたタッチパネルを備える携帯端末におけるプロセッサに、表示制御処理を行わせるためのプログラムであって、
前記表示制御処理は、
前記タッチパネル上の各接触位置への接触を検出するステップと、
前記タッチパネル上の縁近傍における１以上の各特定位置を除外して、接触操作により実行される既定の処理が対応付けられた１以上の各特定表示物を当該タッチパネル上に表示させるステップと、
前記タッチパネル上の各特定位置に、前記筐体を保持するユーザが自己の指を置くべき位置を示す画像を表示させるステップと、
前記接触を検出しなくなってから一定時間以上経過した特定位置に表示させている前記画像の表示を停止させるステップと、
前記タッチパネルへの前記画像の表示を停止させている場合には、当該画像を表示させていた当該タッチパネル上の前記特定位置を除外することなく、前記特定表示物を表示させるステップとを含む
ことを特徴とするプログラム。
【請求項８】
筐体に配置されたタッチパネルを備える携帯端末における表示制御方法であって、
前記タッチパネル上の縁近傍における１以上の各特定位置を除外して、接触操作により実行される既定の処理が対応付けられた１以上の各特定表示物を当該タッチパネル上に表示させるステップと、
前記タッチパネル上の各特定位置に、前記筐体を保持するユーザが自己の指を置くべき位置を示す画像を表示させるステップと、
前記接触を検出しなくなってから一定時間以上経過した特定位置に表示させている前記画像の表示を停止させるステップと、
前記タッチパネルへの前記画像の表示を停止させている場合には、当該画像を表示させていた当該タッチパネル上の前記特定位置を除外することなく、前記特定表示物を表示させるステップとを含む
ことを特徴とする表示制御方法。
【請求項９】
筐体に配置されたタッチパネルを備える携帯端末におけるプロセッサに、表示制御処理を行わせるためのプログラムであって、
前記表示制御処理は、
前記タッチパネル上の各接触位置への接触を検出するステップと、
前記タッチパネル上の縁近傍における複数の特定位置を除外して、接触操作により実行される既定の処理が対応付けられた１以上の各特定表示物を当該タッチパネル上に表示させるステップと、
前記タッチパネル上の各特定位置に、前記筐体を保持するユーザが自己の指を置くべき位置を示す画像を表示させるステップと、
一の特定位置への前記接触を検出した場合において、他の特定位置への接触を検出していないときには、当該他の特定位置に表示させている前記画像の表示を停止させるステップと、
前記タッチパネルへの前記画像の表示を停止させている場合には、当該画像を表示させていた当該タッチパネル上の前記特定位置を除外することなく、前記特定表示物を表示させるステップとを含む
ことを特徴とするプログラム。
【請求項１０】
筐体に配置されたタッチパネルを備える携帯端末における表示制御方法であって、
前記タッチパネル上の縁近傍における複数の特定位置を除外して、接触操作により実行される既定の処理が対応付けられた１以上の各特定表示物を当該タッチパネル上に表示させるステップと、
前記タッチパネル上の各特定位置に、前記筐体を保持するユーザが自己の指を置くべき位置を示す画像を表示させるステップと、
一の特定位置への前記接触を検出した場合において、他の特定位置への接触を検出していないときには、当該他の特定位置に表示させている前記画像の表示を停止させるステップと、
前記タッチパネルへの前記画像の表示を停止させている場合には、当該画像を表示させていた当該タッチパネル上の前記特定位置を除外することなく、前記特定表示物を表示させるステップとを含む
ことを特徴とする表示制御方法。
【請求項１１】
筐体に配置されたタッチパネルと、
前記タッチパネル上の縁近傍における１以上の各特定位置を除外して、接触操作により実行される既定の処理が対応付けられた１以上の各特定表示物を当該タッチパネル上に表示させると共に、当該タッチパネル上の各特定位置に、前記筐体を保持するユーザが自己の指を置くべき位置を示す画像を表示させる表示制御部とを備え、
前記表示制御部は、
前記特定位置に表示させた画像の表示を、所定条件を満たす場合に停止させ、
前記タッチパネルへの前記画像の表示を停止させている場合には、当該画像を表示させていた当該タッチパネル上の前記特定位置を除外することなく、前記特定表示物を表示させる
ことを特徴とする携帯端末。
【発明の詳細な説明】
【技術分野】
【０００１】
本発明は、タッチパネルを備える携帯端末に関し、特に、ユーザインタフェースの改良に関する。
【背景技術】
【０００２】
タッチパネルを備える携帯端末において、ユーザは、指等をタッチパネルに接触させて操作を行うため、指等を接触させている間は、その指等の接触位置に表示されている表示物が見えなくなるという問題がある。
この問題を解決する方法として、特許文献１及び２の方法が知られている。
特許文献１の方法は、タッチパネルを備えるデジタルカメラにおいて、ユーザの指がタッチパネル上の撮影画像の表示位置に接触すると、撮影画像のサイズを縮小し、又は撮影画像の一部のみをタッチパネルに表示するというものである。
【０００３】
また、特許文献２の方法は、タッチパネルを備える表示装置において、ユーザの指がタッチパネル上に表示されている画像（静止画像やアイコン）の位置に接触すると、接触位置に表示されている画像の種類に応じた処理結果を表示したサブ画面を、ユーザの指の接触位置やタッチパネルに近接しているユーザの手や腕により死角となる位置とは異なるタッチパネル上の位置に表示するというものである。
【０００４】
例えば、静止画像の表示位置に指等を接触させた場合には、その接触位置に表示されている部分の拡大画像をサブ画面に表示させ、アイコンの表示位置に指等を接触させた場合には、そのアイコンに対応したメニュー画像をサブ画面に表示させる。
【先行技術文献】
【特許文献】
【０００５】
【特許文献１】特開２００７−２８５３６号公報
【特許文献２】特開２００９−２５１７１９号公報
【発明の概要】
【発明が解決しようとする課題】
【０００６】
ところで、携帯端末においては、携帯性を確保するために筐体のサイズを小さく抑えつつも、視認性をよくするために画面のサイズをなるべく大きくしたいという要望があり、このことは、タッチパネルを備える携帯端末においても例外ではない。
しかしながら、筐体のサイズを小さく抑えつつも画面（タッチパネル）のサイズを大きくすると、筐体の縁ぎりぎりまでタッチパネルが配置されることになってしまうため、携帯端末を保持する際に、ユーザの指がタッチパネルに接触してしまうことが考えられる。
【０００７】
この結果、携帯端末を保持する際に、ユーザの指が接触したタッチパネル上の位置に、アイコン等の既定の処理が対応付けられた表示物が表示されている場合には、ユーザが意図しない処理が実行されてしまう（以下、「誤動作」という）という問題が生じ得る。
上述のように、特許文献１は、撮影画像を対象とした表示制御技術であり、アイコン等の既定の処理が対応付けられた表示物を表示させることは前提としておらず、上述のような誤動作の問題に対応することはできない。
【０００８】
また、特許文献２は、アイコンを対象とした表示制御技術ではあるものの、ユーザが誤って指をタッチパネルに接触させてしまった場合については考慮されておらず、このような誤接触の場合であっても、その接触位置にアイコンが表示されていれば、そのアイコンに対応したメニュー画像が表示されてしまう。つまり、上述のような誤動作の問題には対応することはできない。
【０００９】
そこで、本発明は係る問題に鑑みてなされたものであり、携帯端末の筐体をユーザが保持する際のアイコン等の表示物の視認性を確保しつつ、誤動作の発生を適切に防止することが可能な携帯端末を提供することを目的とする。
【課題を解決するための手段】
【００１０】
上記課題を解決するために、本発明に係る携帯端末は、筐体に配置されたタッチパネルと、前記タッチパネル上の縁近傍における１以上の各特定位置を除外して、接触操作により実行される既定の処理が対応付けられた１以上の各特定表示物を当該タッチパネル上に表示させると共に、当該タッチパネル上の各特定位置に、前記筐体を保持するユーザが自己の指を置くべき位置を示す画像を表示させる表示制御部とを備えることを特徴とする。
【発明の効果】
【００１１】
上記構成を備える本発明に係る携帯端末によれば、携帯端末の筐体をユーザが保持する際のアイコン等の表示物の視認性を確保しつつ、誤動作の発生を適切に防止することができる。
【図面の簡単な説明】
【００１２】
【図１】実施の形態に係る携帯電話機１００の閉状態及び開状態の外観を示す図
【図２】閉状態における携帯電話機１００の表示例及びユーザが携帯電話機１００を保持する様子を示す図
【図３】閉状態における携帯電話機１００の表示例及びユーザが携帯電話機１００を保持する様子を示す図
【図４】開状態における携帯電話機１００の表示例及びユーザが携帯電話機１００を保持する様子を示す図
【図５】開状態における携帯電話機１００の表示例及びユーザが携帯電話機１００を保持する様子を示す図
【図６】携帯電話機１００の主要部の機能構成を示すブロック図
【図７】特定位置テーブル１０のデータ構成及び内容例を示す図
【図８】アイコン位置テーブル２０のデータ構成及び内容例を示す図
【図９】閉状態における携帯電話機１００の各特定位置を示す図
【図１０】開状態における携帯電話機１００の各特定位置を示す図
【図１１】携帯電話機１００の制御処理を示すフローチャート（図１２へ続く）
【図１２】携帯電話機１００の制御処理を示すフローチャート（図１１から続き、図１１へ続く）
【図１３】開状態における携帯電話機１００の表示例及びユーザが携帯電話機１００を保持する様子を示す図
【図１４】開状態における携帯電話機１００の表示例を示す図
【発明を実施するための形態】
【００１３】
以下、本発明に係る携帯端末の実施の形態としての携帯電話機について説明する。
≪実施の形態≫
＜装置構成＞
まず、実施の形態に係る携帯電話機１００の装置構成について説明する。
図１（ａ）は、携帯電話機１００の閉状態の外観を示す斜視図であり、（ｂ）は、携帯電話機１００の開状態の外観を示す斜視図であり、（ｃ）は、携帯電話機１００の開状態の外観を示す正面図である。
【００１４】
携帯電話機１００は、図１（ａ）〜（ｃ）に示されるように、第１筐体１と第２筐体２とが相対的に移動可能な、いわゆるスライド式の端末であり、第１筐体１、第２筐体２、及び第１筐体１と第２筐体２とを連結する連結機構４、４’を備えている。
第１筐体１には、タッチパネル１１０、スピーカ７及びマイク８が備えられており、第２筐体２には、タッチパネル１２０及び開閉検出センサ１３０が備えられている。
【００１５】
なお、開閉検出センサ１３０は、後述するように、携帯電話機１００が開状態なのか、閉状態なのかを検出するセンサである。
連結機構４は、図１（ａ）、（ｂ）に示すように、第１筐体１の側面と第２筐体２の側面とを互いに連結するための連結駒５とピン３０、３１を有している。また、連結機構４’は、第１筐体１の側面と第２筐体２の側面とを互いに連結するための連結駒５’とピン３０’、３１’を有している。なお、ピン３０’、３１’については、図示していない。ピン３０、３０’は第１筐体１に枢支されると共に、ピン３１、３１’は第２筐体２にスライド可能に係合している。
【００１６】
また、第２筐体２の連結機構４が備えられる側面には、図１（ａ）、（ｂ）に示すように、ピン３１がスライド可能となるようガイド溝６が設けられている。なお、第２筐体２の連結機構４’が備えられる側面においても、同様に、ピン３１’がスライド可能となるようガイド溝６’（図示せず）が設けられている。
携帯電話機１００は、図１（ａ）に示すように、第２筐体２に第１筐体１が重ね合わさり、タッチパネル１２０が視認できない閉状態から、連結機構４、４’により、ピン３１、３１’がガイド溝６、６’に沿ってスライドすることにより、第１筐体１が第２筐体２の表面に沿って移動し、その後、ピン３０、３０’それぞれがピン３１、３１’それぞれを中心として回転することにより、図１（ｂ）、（ｃ）に示すように、第１筐体１の表面と第２筐体２の表面とが略同一平面上に揃う開状態となり、タッチパネル１１０及び１２０が視認可能になる。
【００１７】
＜表示例＞
次に、閉状態である場合を例に、携帯電話機１００の表示例を図２及び図３を用いて説明する。
図２及び図３は、閉状態の携帯電話機１００の表示例及びユーザが携帯電話機１００を保持する様子を示す図である。
【００１８】
なお、以下では、既定の処理が対応付けられた表示物であって、その表示位置にユーザが指等を接触させることで、その既定の処理が実行されるものを、特に区別することなく「アイコン」と呼ぶこととする。
図２（ａ）は、携帯電話機１００のタッチパネル１１０に、風景画像（壁紙画像）に重ねて表示された、アイコンＡ〜Ｈと、指位置画像Ｉ１及びＩ２を含む画面が表示された例を示している。
【００１９】
また、図２（ｂ）は、指位置画像Ｉ１が表示されている位置に左手の親指が接触するように、ユーザが携帯電話機１００を保持している様子を示している。
ここで、指位置画像Ｉ１、Ｉ２は、ユーザが携帯電話機１００を保持する際に、指を置くべき位置を示すものであり、図２（ａ）、（ｂ）の例では、携帯電話機１００は、各指位置画像（Ｉ１、Ｉ２）の表示位置を除外して、各アイコンＡ〜Ｈを表示している。
【００２０】
従って、携帯電話機１００を保持する際に、ユーザが指位置画像Ｉ１、Ｉ２の表示位置に指を接触させても、そこにはアイコンは存在しないため、携帯電話機１００を保持する際にアイコンに指等を接触させてしまうことによる誤動作の発生を適切に防ぐことができる。
また、携帯電話機１００は、指位置画像の表示を開始してから、一定時間（例えば、数秒程度）以内に、その指位置画像の表示位置への指等の接触が検出されない場合、及び、その指位置画像の表示位置への指等の接触が検出されなくなってから、一定時間以上経過した場合に、その指位置画像の表示を停止させ、その指位置画像が表示されていた位置にもアイコンを表示させる。
【００２１】
図３（ａ）は、各指位置画像の表示を開始してから一定時間以上経過し、指位置画像Ｉ１の表示位置にのみ、左手の親指が接触しているため、携帯電話機１００が、指位置画像Ｉ２のみの表示を停止させ、アイコンＦ、Ｈの位置をスピーカ７がある方向（以下、「上方向」という）に移動して表示している例を示している。
また、図３（ｂ）は、図３（ａ）の状態から、ユーザが、指位置画像Ｉ１の表示位置に接触させていた左手の親指の接触を離し、一定時間以上経過したため、携帯電話機１００が、指位置画像Ｉ１の表示を停止させ、アイコンＥ、Ｇの位置を上方向に移動して表示している例を示している。
【００２２】
このように、一旦指位置画像を表示させることで、携帯電話機１００を保持する際に、指等を接触させても誤動作しない位置をユーザが容易に認識できるようにすると共に、指等の接触がない場合には、指位置画像の表示を停止させることで、表示領域を有効利用することができるようになる。
なお、本実施の形態では、接触とは、ユーザの指、顔等の身体やタッチペン等が各タッチパネルに接触した状態をいう他、ユーザの指、顔等の身体やタッチペン等、各タッチパネルの静電容量を変化させるものが、各タッチパネルの静電容量を所定の閾値以上に変化させる程度に各タッチパネルに近接した状態を含む。
【００２３】
また、ここでは、携帯電話機１００が閉状態である場合のタッチパネル１１０への表示例を説明したが、開状態である場合にも、携帯電話機１００は、タッチパネル１１０及び１２０への表示を同様に行うことができる。開状態における表示例については、後に、＜具体例＞の欄で、図４、図５を用いて説明する。
また、携帯電話機１００の各タッチパネルに表示される画面に配置されるアイコンの種類、並び順、及び配置は一例であり、適宜変更することができる。
【００２４】
＜機能構成＞
図６は、携帯電話機１００の主要部の機能構成を示すブロック図である。
携帯電話機１００は、同図に示すように、タッチパネル１１０、タッチパネル１２０、開閉検出センサ１３０、加速度センサ１３１、記憶部１４０、第１計時部１５０、第２計時部１５１及び制御部１６０を備える。
【００２５】
なお、携帯電話機１００は、通常の携帯電話機が備える通信部や、図１で示したスピーカ７、マイク８等を備えるが、同図では、図示を省略している。また、携帯電話機１００は、プロセッサ及びメモリを含んで構成されており、制御部１６０の機能は、上述のメモリに記憶されているプログラムを上述のプロセッサが実行することにより実現される。
ここで、タッチパネル１１０は、表示部１１１と入力部１１２とを、タッチパネル１２０は、表示部１２１と入力部１２２とを備える。
【００２６】
各表示部は、ＬＣＤ（Liquid Crystal Display）を含み、制御部１６０からの指示を受けて文字やアイコン等の画像をＬＣＤに表示する回路である。各ＬＣＤの画素数は４８０×８００画素であるものとする。
また、各入力部は、ユーザによる接触を検出し、検出している間、単位時間（例えば、２５ｍｓ）毎に、その接触位置の座標値（ｘ，ｙ）を制御部１６０に送出する回路であり、例えば、静電容量方式のタッチセンサにより実現される。
【００２７】
なお、図１０（ａ）に示すように、各タッチパネルの左上の頂点の座標値は（０，０）であるものとし、右下の頂点の座標値は（４７９,７９９）であるものとする。
開閉検出センサ１３０は、携帯電話機１００が開状態と閉状態とのいずれの状態であるかを示す信号を制御部１６０に出力する機能を有し、例えば、第１筐体１に埋め込まれた磁石の磁力を検知するホールセンサにより実現される。
【００２８】
加速度センサ１３１は、携帯電話機１００に生じる地面方向への重力を加速度として検出し、検出結果を示す信号を制御部１６０に出力する機能を有し、例えば、３軸加速度センサにより実現される。
記憶部１４０は、特定位置テーブル１０及びアイコン位置テーブル２０を記憶するためのメモリ領域である。
【００２９】
各テーブルのデータ構成等については、後に詳細に説明するが、特定位置テーブル１０は、携帯電話機１００の使用状態（開閉状態及び筐体の向き）毎に、各指位置画像を表示させる各特定位置を示す情報を登録したテーブルである（図７参照）。
また、アイコン位置テーブル２０は、画面毎に各アイコンの表示位置を示す情報（通常位置及び変更位置）を登録したテーブルである（図８参照）。
【００３０】
ここで、通常位置とは、予め定められているアイコンを表示させるべき位置を示す情報であり、変更位置とは、各特定位置を除外するように表示させる際のアイコンの位置を示す情報である。
第１計時部１５０及び第２計時部１５１は、制御部１６０の指示を受けて計時を開始し、予め設定された時間を計時すると、その旨を制御部１６０に通知する機能を有し、例えば、タイマやカウンタにより実現される。
【００３１】
制御部１６０は、一般的な携帯電話機が有する制御機能の他、特に、開閉検出センサ１３０及び加速度センサ１３１から出力された各信号に基づいて特定した携帯電話機１００の使用状態（開閉状態及び筐体の向き）に基づいて、各表示部への表示を制御する機能を有する。制御部１６０は、状態特定部１６１、検出部１６２、表示制御部１６３、処理実行部１６４を含んで構成される。
【００３２】
ここで、状態特定部１６１は、開閉検出センサ１３０及び加速度センサ１３１から出力された各信号に基づいて携帯電話機１００の使用状態（開閉状態及び筐体の向き）を特定する機能を有する。
筐体の向きには、各筐体１、２が、縦長になる向き（以下、「縦向き」という）と、横長になる向き（以下、「横向き」という）とがある。
【００３３】
状態特定部１６１は、加速度センサ１３１から出力された信号に基づいて、縦向きと横向きとのうち、より近い向きに、携帯電話機１００の筐体の向きに特定する。
また、検出部１６２は、各入力部から送出された座標値の受領に基づいて、各特定位置及び各アイコンの表示位置への接触の有無を検出する機能を有する。
なお、この各特定位置は、記憶部１４０の特定位置テーブル１０に登録されている、状態特定部１６１が特定した携帯電話機１００の使用状態に応じた各特定位置のことである。また、この各アイコンの表示位置は、前記記憶部１４０のアイコン位置テーブル２０に登録されている、各表示部に表示中の画面に応じた各アイコンの表示位置のことである。
【００３４】
また、表示制御部１６３は、状態特定部１６１が特定した携帯電話機１００の使用状態及び検出部１６２が検出した各特定位置への接触の有無に基づいて、各表示部への各アイコン及び各指位置画像の表示を制御する機能を有する。各表示部の表示をどのように制御するかについては後に詳細に説明する（図１１、１２参照）。
処理実行部１６４は、検出部１６２がいずれかのアイコンの表示位置への接触を検出した際に、そのアイコンに対応付けられた既定の処理を実行する機能を有する。
【００３５】
＜データ＞
以下では、携帯電話機１００が使用するデータについて、図７〜１０を用いて説明する。
＜特定位置テーブル＞
図７は、特定位置テーブル１０のデータ構成及び内容例を示す図である。
【００３６】
特定位置テーブル１０は、同図に示すように、開閉状態１１、筐体の向き１２、第１特定位置１３、第２特定位置１４とを対応付けて構成される情報である。
ここで、開閉状態１１は、携帯電話機１００が開状態か閉状態かを示す情報であり、筐体の向き１２は、携帯電話機１００の各筐体が縦向きか横向きかを示す情報である。
また、第１特定位置１３及び第２特定位置１４は、対応する開閉状態及び筐体の向き（つまり、携帯電話機１００の使用状態）における２つの特定位置の一方を示す情報である。
【００３７】
第１特定位置１３は、パネルＩＤ１３ａと、左上座標値１３ｂと、右下座標値１３ｃとから構成され、第２特定位置１４は、パネルＩＤ１４ａと、左上座標値１４ｂと、右下座標値１４ｃとから構成される。
ここで、パネルＩＤ１３ａ、１４ａは、タッチパネルの識別情報であり、この例では、タッチパネル１１０のパネルＩＤは「１」であり、タッチパネル１２０のパネルＩＤは「２」であるものとしている。
【００３８】
左上座標値１３ｂ、１４ｂは、その形状が矩形である特定位置の左上の頂点の座標値であり、右下座標値１３ｃ、１４ｃは、その特定位置の右下の頂点の座標値である。
携帯電話機１００の各使用状態における第１特定位置及び第２特定位置は、ユーザがその使用状態において携帯電話機１００を保持する際に、指等を接触させると推定されるタッチパネルの縁近傍の位置を示すように、携帯電話機１００のメーカにより予め登録されている。
【００３９】
例えば、開閉状態が「閉」であり、筐体の向きが「縦」である場合の第１特定位置は、パネルＩＤが「１」であるタッチパネル（つまり、タッチパネル１１０）の左上座標値「Ｐ１の座標値」、右下座標値「Ｐ２の座標値」で特定される矩形領域である（図９（ａ）の指位置画像Ｉ１の表示位置参照）。
また、開閉状態が「閉」であり、筐体の向きが「縦」である場合の第２特定位置は、パネルＩＤが「１」であるタッチパネル（つまり、タッチパネル１１０）の左上座標値「Ｐ３の座標値」、右下座標値「Ｐ４の座標値」で特定される矩形領域である（図９（ａ）の指位置画像Ｉ２表示位置参照）。
【００４０】
なお、図９（ａ）、（ｂ）及び図１０（ａ）、（ｂ）において斜線で示す部分は、タッチパネルの縁近傍の部分を示している。
また、開閉状態が「閉」であり、筐体の向きが「横」である場合の第１特定位置と第２特定位置は、それぞれパネルＩＤが「１」であるタッチパネル（つまり、タッチパネル１１０）の左上座標値「Ｐ５の座標値」及び右下座標値「Ｐ６の座標値」、左上座標値「Ｐ７の座標値」及び右下座標値「Ｐ８の座標値」でそれぞれ特定される矩形領域である（図９（ｂ）の指位置画像Ｉ５とＩ６の表示位置参照）。
【００４１】
また、開閉状態が「開」であり、筐体の向きが「縦」である場合の第１特定位置は、パネルＩＤが「１」であるタッチパネル（つまり、タッチパネル１１０）の左上座標値「Ｐ９の座標値」及び右下座標値「Ｐ１０の座標値」で特定される矩形領域である（図１０（ａ）の指位置画像Ｉ３の表示位置参照）。
また、開閉状態が「開」であり、筐体の向きが「縦」である場合の第２特定位置は、パネルＩＤが「２」であるタッチパネル（つまり、タッチパネル１２０）の左上座標値「Ｐ１１の座標値」及び右下座標値「Ｐ１２の座標値」で特定される矩形領域である（図１０（ａ）の指位置画像Ｉ４の表示位置参照）。
【００４２】
また、開閉状態が「開」であり、筐体の向きが「横」である場合の第１特定位置と第２特定位置は、それぞれパネルＩＤが「２」であるタッチパネル（つまり、タッチパネル１２０）の左上座標値「Ｐ１３の座標値」及び右下座標値「Ｐ１４の座標値」、左上座標値「Ｐ１５の座標値」及び右下座標値「Ｐ１６の座標値」でそれぞれ特定される矩形領域である（図１０（ｂ）の指位置画像Ｉ７とＩ８の表示位置参照）。
【００４３】
＜アイコン位置テーブル＞
図８は、アイコン位置テーブル２０のデータ構成及び内容例を示す図である。
アイコン位置テーブル２０は、同図に示すように、画面ＩＤ２１、アイコンＩＤ２２、通常位置２３、変更位置２４とを対応付けて構成される情報である。
ここで、画面ＩＤ２１は、画面の識別情報であり、この例では、図２、図３に示す、アイコンＡ〜Ｈを含む画面の識別情報が「１０１」であり、図４、図５に示すアイコンＡ〜Ｊを含む画面の識別情報が「１０３」であるものとしている。
【００４４】
アイコンＩＤ２２は、対応する画面ＩＤが示す画面に含まれるアイコンの識別情報であり、この例では、アイコンＡ〜Ｊの識別情報が「１」〜「１０」であるものとしている。
通常位置２３は、予め携帯電話機１００のメーカにより定められている、対応するアイコンＩＤが示すアイコンを表示させるべきタッチパネル上の位置を示す情報であり、パネルＩＤ２３ａ、左上座標値２３ｂと、右下座標値２３ｃとから構成される。
【００４５】
ここで、パネルＩＤ２３ａは、タッチパネルの識別情報であり、この例では、タッチパネル１１０のパネルＩＤは「１」であり、タッチパネル１２０のパネルＩＤは「２」であるものとしている。
左上座標値２３ｂは、その形状が矩形であるアイコンの表示位置（領域）の左上の頂点の座標値であり、右下座標値２３ｃは、そのアイコンの表示位置(領域)の右下の頂点の座標値である。
【００４６】
また、変更位置２４は、対応する画面ＩＤが示す画面において各特定位置を除外するように各アイコンを表示させる際の、対応するアイコンＩＤが示すアイコンの表示位置を示す情報であり、パネルＩＤ２４ａと、左上座標値２４ｂと、右下座標値２４ｃとから構成される。パネルＩＤ２４ａ、左上座標値２４ｂと、右下座標値２４ｃとは、上記パネルＩＤ２３ａ、左上座標値２３ｂと、右下座標値２３ｃと同様のものであるため、説明は省略する。
【００４７】
なお、変更位置は、各特定位置を除外するように各アイコンを表示させる際に、対応するアイコンＩＤが示すアイコンを通常位置から移動させる必要がある場合に、表示制御部１６３により登録される。
同図では、画面ＩＤが「１０１」である画面に含まれる、アイコンＩＤが「１」であるアイコン（つまりアイコンＡ）の通常位置は、パネルＩＤが「１」であるタッチパネル（つまり、タッチパネル１１０）の左上座標値「（ｘ１１,ｙ１１）」及び右下座標値「（ｘ１２,ｙ１２）」で特定される矩形領域であることを示している。
【００４８】
なお、左上座標値「（ｘ１１,ｙ１１）」及び右下座標値「（ｘ１２,ｙ１２）」は、図３（ａ）、（ｂ）に示すアイコンＡの表示位置を示している。
また、同図では、画面ＩＤが「１０１」である画面に含まれる、アイコンＩＤが「５」であるアイコン（つまりアイコンＥ）の通常位置は、パネルＩＤが「１」であるタッチパネル（つまり、タッチパネル１１０）の左上座標値「（ｘ１１,ｙ１５）」及び右下座標値「（ｘ１２,ｙ１６）」で特定される矩形領域であることを示している。また、このアイコンの変更位置は、パネルＩＤが「１」であるタッチパネル（つまり、タッチパネル１１０）の左上座標値「（ｘ１１,ｙ１７）」及び右下座標値「（ｘ１２,ｙ１８）」で特定される矩形領域であることを示している。
【００４９】
なお、左上座標値「（ｘ１１,ｙ１５）」及び右下座標値「（ｘ１２,ｙ１６）」は、図３（ｂ）に示すアイコンＥの表示位置を示しており、左上座標値「（ｘ１１,ｙ１７）」及び右下座標値「（ｘ１２,ｙ１８）」は、図２（ａ）、(ｂ)、図３（ａ）に示すアイコンＥの表示位置を示している。
また、以下では、画面ＩＤが「１０１」である画面に含まれる、アイコンＩＤが「５」であるアイコン（つまりアイコンＥ）の標準位置と、図９（ａ）に示す指位置画像Ｉ１の表示位置（Ｐ１及びＰ２で示される第１特定位置）とは、重複するものとする。また、画面ＩＤが「１０１」である画面に含まれる、アイコンＩＤが「６」であるアイコン（つまりアイコンＦ）の標準位置と、図９（ａ）に示す指位置画像Ｉ２の表示位置（Ｐ３及びＰ４で示される第２特定位置）とは、重複するものとする。
【００５０】
また、画面ＩＤが「１０３」である画面に含まれる、アイコンＩＤが「３」であるアイコン（つまりアイコンＣ）の標準位置と、図１０（ａ）に示す指位置画像Ｉ３の表示位置（Ｐ９及びＰ１０で示される第１特定位置）とは、重複するものとする。また、アイコンＩＤが「４」であるアイコン（つまりアイコンＤ）の標準位置と、指位置画像Ｉ４の表示位置（Ｐ１１及びＰ１２で示される第１特定位置）とは、重複するものとする。
【００５１】
＜動作＞
次に、上記構成を備える携帯電話機１００の動作について、図１１、１２を用いて説明する。
図１１及び図１２は、携帯電話機１００の制御処理を示すフローチャートである。
同図に示す制御処理は、携帯電話機１００の電源がＯＮになると開始され、特に図示していないが、電源がＯＦＦになると終了される。
【００５２】
携帯電話機１００における制御部１６０は、第１特定位置に指位置画像を表示する状態であるか否かを示す第１表示フラグと、第２特定位置に指位置画像を表示する状態であるか否かを示す第２表示フラグとを、指位置画像を表示する状態であることを示す「ＯＮ」に初期化する（図１１のステップＳ１）。
状態特定部１６１は、開閉検出センサ１３０及び加速度センサ１３１から出力された各信号に基づいて携帯電話機１００の使用状態（開閉状態及び筐体の向き）を特定し、表示制御部１６３は、状態特定部１６１が特定した使用状態に応じた第１特定位置及び第２特定位置を、記憶部１４０の特定位置テーブル１０から取得する（ステップＳ２）。
【００５３】
表示制御部１６３は、第１表示フラグと第２表示フラグとのうちのいずれかが「ＯＮ」であるか否かを判定し（ステップＳ３）、いずれかが「ＯＮ」の場合には（ステップＳ３：ＹＥＳ）、表示すべき画面の各アイコンの通常位置を、記憶部１４０のアイコン位置テーブル２０から取得する。
ここで、携帯電話機１００の電源がＯＮになった直後において表示すべき画面は、例えば、携帯電話機１００が閉状態で縦向きの場合、画面ＩＤが「１０１」である画面であり、携帯電話機１００が開状態で縦向きの場合、画面ＩＤが「１０３」である画面であるものとする。
【００５４】
また、表示制御部１６３は、取得した各アイコンの通常位置と、ステップＳ２で取得した、「ＯＮ」である各表示フラグと対応する特定位置とに基づいて、特定位置と通常位置とが重複するアイコンが存在するか否かを判定する（ステップＳ４）。
ここで、第１表示フラグと対応する特定位置は「第１特定位置」であるとし、第２表示フラグと対応する特定位置は「第２特定位置」であるものとする。
【００５５】
例えば、携帯電話機１００の電源がＯＮになった直後においては、各表示フラグは「ＯＮ」であり、携帯電話機１００の開閉状態が「閉」であり、筐体の向きが「縦」の場合、第１特定位置（図９（ａ）のＰ１及びＰ２で示される領域）とアイコンＥの通常位置とが重複し、第２特定位置（図９（ａ）のＰ３及びＰ４で示される領域）とアイコンＦの通常位置とが重複するため、表示制御部１６３は肯定的な判定を行う（ステップＳ４：ＹＥＳ）。
【００５６】
ステップＳ４で、肯定的な判定を行った場合（ステップＳ４：ＹＥＳ）、表示制御部１６３は、「ＯＮ」である各表示フラグと対応する特定位置を除外するように、各アイコンの表示位置を決定し、決定した表示位置が通常位置と異なる各アイコンについての変更位置をアイコン位置テーブル２０に登録する（ステップＳ５）。
具体的には、いずれかの特定位置と通常位置とが重複する各アイコンを下方向にずらした位置に決定し、この決定した位置と通常位置とが重複する他のアイコンを順に下方向にずらした位置に決定する。
【００５７】
ここで、下方向とは、携帯電話機１００の筐体の向きが縦向きの場合、各タッチパネルのｙ軸が大きくなる方向をいい、筐体の向きが横向きの場合、各タッチパネルのｘ軸が多くなる方向をいう。
なお、携帯電話機１００が開状態である場合において、筐体の向きが縦向きであるときには（図１０（ａ）参照）、タッチパネル１１０のｙ座標軸とタッチパネル１２０のｙ座標軸とが連続するものとして、変更位置を登録する。つまり、あるアイコンの位置を下方向にずらした結果、タッチパネル１１０の表示領域を超えてしまう場合には、タッチパネル１２０の上部（ｙ座標値が０となる部分）から表示されるように、変更位置を登録する。
【００５８】
また、携帯電話機１００が開状態である場合において、筐体の向きが横向きであるときには（図１０（ｂ）参照）、タッチパネル１１０のｘ座標軸とタッチパネル１２０のｘ座標軸とが連続するものとして、変更位置を登録する。つまり、あるアイコンの位置を下方向にずらした結果、タッチパネル１１０の表示領域を超えてしまう場合には、タッチパネル１２０の上部（ｘ座標値が０となる部分）から表示されるように、変更位置を登録する。
【００５９】
続いて、表示制御部１６３は、ステップＳ５で決定した位置に各アイコンを表示させ（ステップＳ６）、「ＯＮ」である各表示フラグと対応する特定位置に、指位置画像の表示を開始させる（ステップＳ８）。なお、壁紙画像を表示させる設定がなされている場合には、この壁紙画像に重ねるように各アイコン及び指位置画像を表示させる。これは、後述するステップＳ７の処理でも同様である。
【００６０】
また、表示制御部１６３は、ステップＳ６の直前に表示されていた画面がある場合には、その画面に含まれる各アイコンの変更位置を全て削除しておく。
また、表示制御部１６３は、「ＯＮ」である各表示フラグと対応する計時部による計時を開始させる（ステップＳ９）。
ここで、第１表示フラグと対応する計時部は「第１計時部１５０」であるとし、第２表示フラグと対応する計時部は「第２計時部１５１」であるものとする。
【００６１】
なお、第１表示フラグ及び第２表示フラグが「ＯＦＦ」の場合には、いずれの計時部による計時も行わない。
続いて、表示制御部１６３は、第１表示フラグと第２表示フラグとのうちのいずれかが「ＯＮ」であるか否かを判定し（図１２のステップＳ１０）、いずれの表示フラグも「ＯＦＦ」である場合には（ステップＳ１０：ＮＯ）、後述するステップＳ１７の処理に進む。
【００６２】
一方、いずれかの表示フラグが「ＯＮ」の場合には（ステップＳ１０：ＹＥＳ）、検出部１６２は、各タッチパネルの各入力部から送出された座標値の受領に基づいて、「ＯＮ」である表示フラグと対応する特定位置への接触があるか否かを判定する（ステップＳ１１）。
「ＯＮ」である表示フラグと対応する特定位置への接触がある場合には（ステップＳ１１：ＹＥＳ）、検出部１６２は、その接触があった特定位置と対応する計時部による計時をリセットさせた上で開始させる（ステップＳ１２）。
【００６３】
ここで、第１特定位置と対応する計時部は「第１計時部１５０」であるとし、第２特定位置と対応する計時部は「第２計時部１５１」であるものとする。
ステップＳ１２の処理を完了し、又は、ステップＳ１１で、「ＯＮ」である表示フラグと対応する特定位置への接触がない場合（ステップＳ１１：ＮＯ）には、検出部１６２は、稼働中のいずれかの計時部が所定時間を計時したか否かを判定する（ステップＳ１３）。
【００６４】
稼働中のいずれの計時部も所定時間を計時していない場合には（ステップＳ１３：ＮＯ）、検出部１６２は、各タッチパネルの各入力部から送出された座標値の受領に基づいて、各アイコンの表示位置への接触があるか否かを判定する（ステップＳ１７）。
いずれのアイコンの表示位置への接触もない場合には（ステップＳ１７：ＮＯ）、再びステップＳ１０から処理を行い、いずれかのアイコンの表示位置への接触がある場合には（ステップＳ１７：ＹＥＳ）、処理実行部１６４は、そのアイコンに対応付けられている既定の処理を実行する（ステップＳ１８）。
【００６５】
なお、処理実行部１６４は、処理結果の画面に含まれる各アイコンの通常位置を、その画面の識別情報（画面ＩＤ）及びそのアイコンの識別情報（アイコンＩＤ）と対応付けてアイコン位置テーブル２０に登録する。
続いて、検出部１６２は、各タッチパネルの各入力部から送出された座標値の受領に基づいて、第１特定位置及び第２特定位置のいずれにも接触がないか否かを判定し（ステップＳ１９）、いずれにも接触がない場合には（ステップＳ１９：ＹＥＳ）、第１表示フラグ及び第２表示フラグを「ＯＮ」に設定する（ステップＳ２０）。
【００６６】
ステップＳ２０の処理を完了し、又は、ステップＳ１９で、第１特定位置及び第２特定位置のいずれかへの接触がある場合（ステップＳ１９：ＮＯ）には、状態特定部１６１は、開閉検出センサ１３０及び加速度センサ１３１から出力された各信号に基づいて携帯電話機１００の使用状態（開閉状態及び筐体の向き）に変更があるか否かを判定する（ステップＳ２１）。
【００６７】
携帯電話機１００の使用状態に変更がある場合には（ステップＳ２１：ＹＥＳ）、再びステップＳ２から処理を行い、携帯電話機１００の使用状態に変更がない場合には（ステップＳ２１：ＮＯ）、再びステップＳ３から処理を行う。
ステップＳ３において、いずれの表示フラグも「ＯＦＦ」である場合には（ステップＳ３：ＮＯ）、表示すべき画面の各アイコンの通常位置を、記憶部１４０のアイコン位置テーブル２０から取得し、各アイコンを通常位置に表示させ（ステップＳ７）、ステップＳ８の処理に進む。
【００６８】
一方、ステップＳ１３で、稼働中のいずれかの計時部が所定時間を計時した場合には（ステップＳ１３：ＹＥＳ）、表示制御部１６３は、所定時間を計時した計時部に対応する表示フラグを「ＯＦＦ」に設定すると共に、その表示フラグと対応する特定位置に表示されている指位置画像の表示を停止させる（ステップＳ１４）。
表示制御部１６３は、まだ「ＯＮ」である表示フラグに対応する特定位置を除外するように、各アイコンの表示位置を決定し、決定した表示位置が通常位置と同じである各アイコンの変更位置をアイコン位置テーブル２０から削除する（ステップＳ１５）。
【００６９】
続いて、表示制御部１６３は、ステップＳ１５で決定した位置に各アイコンを表示させ（ステップＳ１６）、ステップＳ１７の処理に進む。
＜具体例＞
上述した携帯電話機１００の動作について、図１１、１２に示すフローチャートに即して、図４、５に示す具体例を用いて説明する。
【００７０】
以下の説明を開始する時点で、携帯電話機１００は電源がＯＮになった直後で、開状態であり、筐体の向きは縦向きであるものとする。
携帯電話機１００における制御部１６０は、第１表示フラグ及び第２表示フラグを「ＯＮ」に初期化し（図１１のステップＳ１）、状態特定部１６１は、開閉検出センサ１３０及び加速度センサ１３１から出力された各信号に基づいて、この例では、携帯電話機１００の開閉状態は「開」で、筐体の向きは「縦向き」であると特定する。
【００７１】
表示制御部１６３は、状態特定部１６１が特定した使用状態に応じた第１特定位置（パネルＩＤ「１」、Ｐ９の座標値及びＰ１０の座標値）及び第２特定位置（パネルＩＤ「２」、Ｐ１１の座標値及びＰ１２の座標値）を、記憶部１４０の特定位置テーブル１０から取得する（ステップＳ２）。
この例では、第１表示フラグ及び第２表示フラグが「ＯＮ」であるため（ステップＳ３：ＹＥＳ）、表示制御部１６３は、表示すべき画面（この例では、画面ＩＤが「１０３」である画面）の各アイコンの通常位置を、記憶部１４０のアイコン位置テーブル２０から取得する。
【００７２】
この例では、「ＯＮ」である第１表示フラグと対応する第１特定位置（図４（ａ）の指位置画像Ｉ３の表示位置）とアイコンＣの通常位置とが重複し、「ＯＮ」である第２表示フラグと対応する第２特定位置（図４（ａ）の指位置画像Ｉ４の表示位置）とアイコンＪの標準位置とが重複するため（ステップＳ４：ＹＥＳ）、表示制御部１６３は、この第１特定位置及び第２特定位置を除外するように、各アイコンの表示位置を決定し、決定した表示位置が通常位置と異なる各アイコンについての変更位置をアイコン位置テーブル２０に登録する（ステップＳ５）。
【００７３】
この例では、第１特定位置と通常位置が重複するアイコンＣの表示位置を下方向にずらし、アイコンＥの通常位置に決定し、アイコンＥ、Ｇ、Ｉの表示位置を順に下方向にずらした位置に決定する。なお、アイコンＥの表示位置を下方向にずらした結果、タッチパネル１１０の表示領域を超えてしまうため、アイコンＥの表示位置は、タッチパネル１２０上のアイコンＧの通常位置に決定される。
【００７４】
また同様に、第２特定位置と通常位置が重複するアイコンＪの表示位置を下方向にずらした位置に決定する。また、これ以外のアイコン（Ａ、Ｂ、Ｄ、Ｆ、Ｈ）は、通常位置に決定する。
表示制御部１６３は、ステップＳ５で決定した位置に各アイコンを表示させ（ステップＳ６）、「ＯＮ」である第１表示フラグと対応する第１特定位置（図４（ａ）の指位置画像Ｉ３の表示位置）と、「ＯＮ」である第２表示フラグと対応する第２特定位置（図４（ａ）の指位置画像Ｉ４の表示位置）とに、指位置画像の表示を開始させる（ステップＳ８）。
【００７５】
また、表示制御部１６３は、「ＯＮ」である第１表示フラグと対応する第１計時部１５０及び「ＯＮ」である第２表示フラグと対応する第２計時部１５１による計時を開始させる（ステップＳ９）。
ステップＳ６及びＳ８の処理の結果、タッチパネル１１０及び１２０の各表示部には、図４（ａ）に示す画面が表示されることになる。
【００７６】
この例では、第１表示フラグ及び第２表示フラグが「ＯＮ」であるため（図１２のステップＳ１０：ＹＥＳ）、検出部１６２は、各タッチパネルの各入力部から送出された座標値の受領に基づいて、「ＯＮ」である表示フラグと対応する特定位置（この例では、第１特定位置及び第２特定位置）への接触があるか否かを判定する（ステップＳ１１）。
以下では、タッチパネル１１０及び１２０の各表示部に、図４（ａ）に示す画面が表示されている状態において、携帯電話機１００の筐体を保持するユーザの左手の親指が、第１特定位置（指位置画像Ｉ３の表示位置）に接触した場合と、しなかった場合とに分けて説明する。
【００７７】
＜第１特定位置への接触があった場合＞
まず、携帯電話機１００の筐体を保持するユーザの左手の親指が、第１特定位置（図４（ａ）の指位置画像Ｉ３の表示位置）に接触した場合について説明する。
この場合、検出部１６２は、第１特定位置への接触があると判定し（ステップＳ１１：ＹＥＳ）、第１特定位置と対応する第１計時部１５０による計時をリセットさせた上で開始させ（ステップＳ１２）、稼働中のいずれかの計時部が所定時間を計時したか否かを判定する（ステップＳ１３）。
【００７８】
ここで、第２計時部１５１から所定時間を計時した旨の通知を受領したとすると、検出部１６２は、第２計時部１５１が所定時間を計時したと判定する（ステップＳ１３：ＹＥＳ）。
また、表示制御部１６３は、所定時間を計時した計時部に対応する表示フラグ（この例では第２表示フラグ）を「ＯＦＦ」に設定すると共に、その表示フラグと対応する特定位置（この例では、第２特定位置）に表示されている指位置画像の表示を停止させる（ステップＳ１４）。
【００７９】
また、表示制御部１６３は、まだ「ＯＮ」である表示フラグに対応する特定位置（この例では第１特定位置）を除外するように、各アイコンの表示位置を決定し、決定した表示位置が通常位置と同じである各アイコンの変更位置をアイコン位置テーブル２０から削除する（ステップＳ１５）。
この例では、第２特定位置（図４（ａ）の指位置画像Ｉ４の表示位置）と通常位置が重複するアイコンＪの表示位置を上方向にずらし、アイコンＪの通常位置に決定する。
【００８０】
続いて、表示制御部１６３は、ステップＳ１５で決定した位置に各アイコンを表示させる（ステップＳ１６）。
ステップＳ１４及びＳ１６の処理の結果、タッチパネル１２０の表示部１２１には、図４（ｂ）に示す画面が表示されることになる。
続いて、検出部１６２は、各タッチパネルの各入力部から送出された座標値の受領に基づいて、各アイコンの表示位置への接触があるか否かを判定する（ステップＳ１７）。
【００８１】
ここで、ユーザが、右手の人差し指をアイコンＨの表示位置に接触させたとすると、検出部１６２は、アイコンＨの表示位置への接触があると判定し（ステップＳ１７：ＹＥＳ）、処理実行部１６４は、そのアイコン（Ｈ）に対応付けられている既定の処理を実行する（ステップＳ１８）。
ここで、このアイコンＨに対応付けられている既定の処理を実行した結果の画面にはアイコンＫ〜アイコンＳが含まれているものとし、例えば、処理実行部１６４は、画面ＩＤ「１０５」と対応付けて各アイコンの通常位置をアイコン位置テーブル２０に登録する。
【００８２】
続いて、検出部１６２は、各タッチパネルの各入力部から送出された座標値の受領に基づいて、第１特定位置及び第２特定位置のいずれにも接触がないか否かを判定する（ステップＳ１９）。
ここで、第１特定位置のみに接触があり（ステップＳ１９：ＮＯ）、携帯電話機１００の使用状態（開閉状態及び筐体の向き）に変更がないとすると（ステップＳ２１：ＮＯ）、この例では、第１表示フラグが「ＯＮ」であるため（ステップＳ３：ＹＥＳ）、表示制御部１６３は、表示すべき画面（この例では、画面ＩＤが「１０５」である画面）の各アイコンの通常位置を、記憶部１４０のアイコン位置テーブル２０から取得する。
【００８３】
また、表示制御部１６３は、取得した各アイコンの通常位置と、ステップＳ２で取得した、「ＯＮ」である各表示フラグと対応する特定位置（この例では、第１特定位置）とに基づいて、特定位置と通常位置とが重複するアイコンが存在するか否かを判定する（ステップＳ４）。
この例では、第１特定位置（図５（ａ）の指位置画像Ｉ３の表示位置）とアイコンＭの通常位置とが重複するものとする。
【００８４】
従って、表示制御部１６３は、特定位置と通常位置とが重複するアイコンが存在すると判定し（ステップＳ４：ＹＥＳ）、第１特定位置を除外するように、各アイコンの表示位置を決定し、決定した表示位置が通常位置と異なる各アイコンについての変更位置をアイコン位置テーブル２０に登録する（ステップＳ５）。
この例では、第１特定位置と通常位置が重複するアイコンＭの表示位置を下方向にずらし、アイコンＯの通常位置に決定し、アイコンＯ、Ｑ、Ｓの表示位置を順に下方向にずらした位置に決定する。なお、アイコンＯの表示位置を下方向にずらした結果、タッチパネル１１０の表示領域を超えてしまうため、アイコンＯの表示位置は、タッチパネル１２０上のアイコンＱの通常位置に決定される。
【００８５】
また、これ以外のアイコン（Ｋ、Ｌ、Ｎ、Ｐ、Ｒ、Ｔ）については、通常位置に決定する。
表示制御部１６３は、ステップＳ５で決定した位置に各アイコンを表示させ（ステップＳ６）、「ＯＮ」である第１表示フラグと対応する第１特定位置（図５（ａ）の指位置画像Ｉ３の表示位置）に、指位置画像の表示を開始させる（ステップＳ８）。
【００８６】
また、表示制御部１６３は、「ＯＮ」である第１表示フラグと対応する第１計時部１５０による計時を開始させる（ステップＳ９）。
ステップＳ６及びＳ８の処理の結果、タッチパネル１１０及び１２０の各表示部には、図５（ａ）に示す画面が表示されることになる。
以降、図１２のステップＳ１０から上記同様に処理が行われる。
【００８７】
＜第１特定位置への接触がない場合＞
次に、タッチパネル１１０及び１２０の各表示部に、図４（ａ）に示す画面が表示されている状態において、各特定位置（図４（ａ）の指位置画像Ｉ３及びＩ４の表示位置）への接触がない場合について説明する。
この場合、検出部１６２は、各特定位置への接触がないと判定し（ステップＳ１１：ＮＯ）、稼働中のいずれかの計時部が所定時間を計時したか否かを判定する（ステップＳ１３）。
【００８８】
ここで、いずれの計時部からも所定時間を計時した旨の通知を受領していないとすると、検出部１６２は、いずれの計時部も所定時間を計時していないと判定する（ステップＳ１３：ＮＯ）、各タッチパネルの各入力部から送出された座標値の受領に基づいて、各アイコンの表示位置への接触があるか否かを判定する（ステップＳ１７）。
ここで、ユーザが、右手の人差し指を、図４（ａ）に示すアイコンＨの表示位置に接触させたとすると、検出部１６２は、アイコンＨの表示位置への接触があると判定し（ステップＳ１７：ＹＥＳ）、処理実行部１６４は、そのアイコン（Ｈ）に対応付けられている既定の処理を実行する（ステップＳ１８）。
【００８９】
上記同様に、処理実行部１６４は、画面ＩＤ「１０５」と対応付けてアイコンＫ〜Ｓの通常位置をアイコン位置テーブル２０に登録する。
続いて、検出部１６２は、各タッチパネルの各入力部から送出された座標値の受領に基づいて、第１特定位置及び第２特定位置のいずれにも接触もないか否かを判定する（ステップＳ１９）。
【００９０】
ここで、いずれの特定位置（図４（ａ）の指位置画像Ｉ３、Ｉ４の各表示位置）にも接触がないとすると（ステップＳ１９：ＹＥＳ）、検出部１６２は、第１表示フラグ及び第２表示フラグを「ＯＮ」に設定する（ステップＳ２０）。
また、携帯電話機１００の使用状態（開閉状態及び筐体の向き）に変更がないとすると（ステップＳ２１：ＮＯ）、この例では、第１表示フラグ及び第２表示フラグが「ＯＮ」であるため（ステップＳ３：ＹＥＳ）、表示制御部１６３は、表示すべき画面（この例では、画面ＩＤが「１０５」である画面）の各アイコンの通常位置を、記憶部１４０のアイコン位置テーブル２０から取得する。
【００９１】
また、表示制御部１６３は、取得した各アイコンの通常位置と、ステップＳ２で取得した、「ＯＮ」である各表示フラグと対応する特定位置（この例では、第１特定位置及び第２特定位置）とに基づいて、特定位置と通常位置とが重複するアイコンが存在するか否かを判定する（ステップＳ４）。
この例では、第１特定位置（図５（ｂ）の指位置画像Ｉ３の表示位置）とアイコンＭの通常位置とが重複し、第２特定位置（図５（ｂ）の指位置画像Ｉ４の表示位置）とアイコンＴの通常位置とが重複するものとする。
【００９２】
従って、表示制御部１６３は、特定位置と通常位置とが重複するアイコンが存在すると判定し（ステップＳ４：ＹＥＳ）、この第１特定位置及び第２特定位置を除外するように、各アイコンの表示位置を決定し、決定した表示位置が通常位置と異なる各アイコンについての変更位置をアイコン位置テーブル２０に登録する（ステップＳ５）。
この例では、第１特定位置と通常位置が重複するアイコンＭの表示位置を下方向にずらし、アイコンＯの通常位置に決定し、アイコンＯ、Ｑ、Ｓの表示位置を順に下方向にずらした位置に決定する。なお、アイコンＯの表示位置を下方向にずらした結果、タッチパネル１１０の表示領域を超えてしまうため、アイコンＯの表示位置は、タッチパネル１２０上のアイコンＱの通常位置に決定される。
【００９３】
また同様に、第２特定位置と通常位置が重複するアイコンＴの表示位置を下方向にずらした位置に決定する。また、これ以外のアイコン（Ｋ、Ｌ、Ｎ、Ｐ、Ｒ）は、通常位置に決定する。
表示制御部１６３は、ステップＳ５で決定した位置に各アイコンを表示させ（ステップＳ６）、「ＯＮ」である第１表示フラグと対応する第１特定位置（図５（ａ）の指位置画像Ｉ３の表示位置）に、指位置画像の表示を開始させる（ステップＳ８）。
【００９４】
また、表示制御部１６３は、「ＯＮ」である第１表示フラグ及び第２表示フラグと対応する第１計時部１５０及び第２計時部１５１による計時を開始させる（ステップＳ９）。
ステップＳ６及びＳ８の処理の結果、タッチパネル１１０及び１２０の各表示部には、図５（ｂ）に示す画面が表示されることになる。
以降、図１２のステップＳ１０から上記同様に処理が行われる。
【００９５】
≪補足≫
以上、本発明に係る携帯端末を、実施の形態に基づいて説明したが、以下のように変形することも可能であり、本発明は上述した実施の形態で示した通りの携帯電話機に限られないことは勿論である。
（１）実施の形態では、特定位置の数は２つであるものとして説明したが、携帯電話機１００の使用状態に応じて、特定位置の数を変更するようにしてもよい。例えば、開閉状態が閉状態である場合には特定位置の数を１つとし、開状態である場合には特定位置の数を２つとしてもよい。また、ユーザが特定位置の数を設定できるようにしてもよい。
【００９６】
また、特に特定位置の数を１つとする場合には、ユーザが右利きか、左利きかを予め設定させるようにし、この設定に応じて、実施の形態における第１特定位置と第２特定位置のうちの一方のみを有効にするようにしてもよい。例えば、ユーザが右利きである場合には、図２（ｂ）や図４（ｂ）に示すように左手で筐体を保持する可能性が高いため、図２（ｂ）、図４（ｂ）の例では、第１特定位置だけを有効にすることが考えられる。
【００９７】
（２）実施の形態では、特定位置の座標値、形状及び大きさは固定であるものとして説明したが、変更できるようにしてもよい。例えば、携帯電話機１００の運用開始時において、携帯電話機１００の使用状態毎に、ユーザに筐体を保持する動作を行わせ、指等がタッチパネル上に接触していた場合には、その接触の位置、形状及び大きさに基づいて特定位置の座標値、形状及び大きさを設定するようにしてもよい。また、例えば、携帯電話機１００の電源をＯＮにした際に、指等がタッチパネル上に接触していた場合には、その接触の位置、形状及び大きさに基づいて特定位置の座標値、形状及び大きさを設定するようにしてもよい。
【００９８】
また、例えば、特定位置に表示されている指位置画像に、ユーザが指等を接触させたままその指を移動させた後に接触を離す、いわゆるドラッグ操作が行われた場合に、接触が離された位置に特定位置を変更するようにしてもよい。
（３）実施の形態では、指位置画像の表示は自動的に行われるものとして説明したが、ユーザが所定の操作を行うことで、手動で表示できるようにしてもよい。例えば、指位置画像の表示を行うためのキー（ソフトウェアキー）をいずれかのタッチパネル上に常時若しくは定期的に表示させ、又は筐体１に指位置画像の表示を行うためのキー（ハードウェアキー）を配置し、これらのキーへの操作に応じて、指位置画像の表示を行うようにしてもよい。
【００９９】
また、指位置画像の表示を自動的に行う際の条件として、指位置画像の表示が停止されてから所定時間後に表示を再開するようにしてもよい。
（４）実施の形態では、図２（ａ）や図４（ａ）に示すように、指位置画像は不透明なものであるとして説明したが、半透明なものとし、指位置画像の下に表示されている画像（図２（ａ）、図４（ａ）の例では壁紙画像）が透けて見えるようにしてもよい。
【０１００】
（５）実施の形態では、特定位置への接触が一定時間以上ない場合に、その特定位置に表示されている指位置画像の表示が停止するものとして説明したが、特定位置への接触がなくなってからの経過時間に応じて、徐々に指位置画像の表示が消えていくようにしてもよい。なお、実施の形態では、この一定時間は、数秒程度であるものとして説明したが、数十秒程度等、これよりも長くてもよいし、ユーザが設定できるようにしてもよい。
【０１０１】
（６）実施の形態では、指位置画像の形状及び大きさは固定であるものとして説明したが、その表示位置において実際に行われた接触の形状、大きさに応じて、指位置画像の形状、大きさを変更して表示するようにしてもよい。
また、実施の形態では、指位置画像の形状は矩形であるものとして説明したが、矩形以外の形状（丸や三角や星等）であってもよく、実施の形態で説明した指位置画像の大きさよりも小さくても大きくてもよいし、ユーザが設定できるようにしてもよい。
【０１０２】
また、実施の形態では、指位置画像と特定位置との形状及び大きさは一致するものとして説明したが、異なってもよい。
（７）実施の形態では、各アイコンを、特定位置を除外して表示するものとして説明したが、視認性を確保したい他のデータについても、特定位置を除外して表示するようにしてもよい。
【０１０３】
例えば、図１３（ａ）に示すように、指位置画像Ｉ４を避けるように、メール本文を折り返して表示させることで、指位置画像Ｉ４が表示されている第２特定位置を除外するようにメール本文を表示してもよい。
なお、図１３（ｂ）は、図１３（ａ）に示す各特定位置（指位置画像Ｉ３、Ｉ４の各表示位置）への接触が一定時間以上なく、各特定位置に表示されていた指位置画像の表示が停止し、図１３（ａ）で折り返して表示されていたメール本文が折り返されることなく表示されている様子を示している。
【０１０４】
（８）実施の形態では、各アイコンを特定位置を除外して表示する方法として、通常位置と特定位置とが重複するアイコンを下方向にずらして表示する例を用いて説明したが、この方法に限らず、例えば、上方向にずらして表示してもよいし、左右方向にずらして表示してもよいし、縮小して表示してもよい。
また、例えば、図１４において一点鎖線で示す各矩形領域のように、各特定位置（指位置画像Ｉ３、Ｉ４の各表示位置）を除外するように特定した各矩形領域に各アイコンを表示させるようにしてもよい。
【０１０５】
なお、この図１４に示す携帯電話機１００の開閉状態は開状態であり、筐体の向きは縦向きであるため、各タッチパネルにそれぞれ配置されている１つの特定位置のみを除外するように各矩形領域が特定される。しかしながら、携帯電話機１００のこれ以外の使用状態では、１つのタッチパネル上に２つの特定位置が存在するため（図９（ａ）、（ｂ）、図１０（ｂ）参照）、この２つの特定位置を除外するように１つの矩形領域が特定されることになる。
【０１０６】
また、ここでは、各特定位置を除外するように矩形領域を特定して、特定した矩形領域内に各アイコンを表示させるものとして説明したが、矩形領域に限らず他の形状（丸、三角等）の領域を特定して、特定した領域内に各アイコンを表示させてもよい。
（９）実施の形態では、各特定位置が設けられるタッチパネルの縁近傍を、図９、１０の斜線部で示すように、タッチパネルの縁を含むロの字状又はコの字状の領域とした例を説明したが、ユーザが携帯電話機１００の筐体を保持する際に指等を接触させ得る程度にタッチパネルの縁から離れた領域としてもよい。
【０１０７】
（１０）実施の形態では、指位置画像の表示を開始してから、又は指位置画像が表示されている特定位置への接触が検出されなくなってから一定時間以上経過した場合に、その指位置画像の表示を停止させるものとして説明したが、各特定位置のうち、一の特定位置への接触が検出された際に、直ちに他の特定位置に表示されている指位置画像の表示を停止させるようにしてもよい。
【０１０８】
（１１）実施の形態では、通常位置が予め定まっている各アイコンを、特定位置を除外して表示する場合を例に説明したが、大きさだけが定まっている各アイコンを、特定位置を除外して表示するようにしてもよい。その場合、各アイコンについて、そのアイコンの大きさに基づいて、他のアイコンの位置及び特定位置と重複しないように、表示位置を決定すればよい。
【０１０９】
（１２）実施の形態では、各表示部のＬＣＤの画素数は同一であり、ＬＣＤの形状は、略矩形状であるものとして説明したが、各ＬＣＤの画素数は異なってもよいし、各ＬＣＤの形状は、例えば、円形状、その他多角形状であってもよい。
（１３）実施の形態に係る携帯電話機１００は、スライド式の携帯電話機であるものとして説明したが、折りたたみ式や、ストレートタイプ等の他の外観を有する携帯電話機であってもよい。
【０１１０】
また、実施の形態に係る携帯電話機１００は、２つのタッチパネルを備えるものとして説明したが、各タッチパネルの配置は、実施の形態で説明したように、各タッチパネルが略同一平面上に配置される場合に限られず、また、１つのタッチパネルのみを備えるものや、３つ以上のタッチパネルを備えるものとしてもよい。
（１４）実施の形態に係る各タッチパネルの入力部は、投影型の静電容量方式のタッチセンサにより実現するものとして説明したが、これに限らず、２層構造の透明電極からなるマトリクススイッチ方式や、２枚の抵抗膜の１枚に電圧を印加し、他方の抵抗膜において操作した位置に応じた電圧を検知する抵抗膜方式や、振動波の跳ね返りを圧電素子の電圧変化によって検出し、指等の接触を検知する表面弾性波方式や、遮光された赤外線により指等が接触した位置を検出する赤外線方式や、画面に光センサを組み込んで接触位置を検知する光センサ方式等により実現されてもよい。
【０１１１】
（１５）実施の形態において説明した各構成要素のうち、全部又は一部を１チップ又は複数チップの集積回路で実現してもよいし、コンピュータのプログラムで実現してもよいし、その他どのような形態で実現してもよい。
（１６）実施の形態において説明した携帯電話機１００の制御処理（図１１、１２参照）をプロセッサに実行させるためのプログラムを、記録媒体に記録し又は各種通信路等を介して、流通させ頒布することもできる。このような記録媒体には、ＩＣカード、光ディスク、フレキシブルディスク、ＲＯＭ（Read Only Memory）、フラッシュメモリ等がある。流通、頒布されたプログラムは、機器におけるプロセッサで読み取り可能なメモリ等に格納されることにより利用に供され、そのプロセッサがそのプログラムを実行することにより実施の形態で示した携帯電話機１００の各機能が実現される。
【０１１２】
（１７）実施の形態に係る携帯電話機１００に、上記（１）〜（１６）の一部又は全部の変形を組み合わせて適用してもよい。
（１８）以下、更に本発明の一実施形態に係る携帯端末の構成及びその変形例と各効果について説明する。
（ａ）本発明の実施の形態に係る携帯端末は、筐体に配置されたタッチパネルと、前記タッチパネル上の縁近傍における１以上の各特定位置を除外して、接触操作により実行される既定の処理が対応付けられた１以上の各特定表示物を当該タッチパネル上に表示させると共に、当該タッチパネル上の各特定位置に、前記筐体を保持するユーザが自己の指を置くべき位置を示す画像を表示させる表示制御部とを備える。
【０１１３】
この携帯端末は、ユーザの指を置くべき位置を示す画像が表示される各特定位置を除外して、アイコン等の既定の処理が割り当てられた特定表示物を表示する。
従って、指を置くべき位置を示す画像の表示位置に、ユーザが指を置くようにこの携帯端末の筐体を保持した場合には、ユーザの指が特定表示物に接触してしまうことがなく、この携帯端末によれば、携帯端末の筐体をユーザが保持する際に、特定表示物の視認性を確保しつつ、誤動作の発生を適切に防止することができる。
【０１１４】
また、ユーザの指を置くべき位置を示す画像が表示されるので、ユーザは、指を接触させても誤動作を起こさないで済むタッチパネル上の位置を容易に知ることができる。
（ｂ）また、前記携帯端末は、前記タッチパネル上の各接触位置への接触を検出する接触検出部を備え、前記表示制御部は、更に前記接触検出部が接触を検出しなくなってから一定時間以上経過した特定位置に表示させている前記画像の表示を停止させることとしてもよい。
【０１１５】
この携帯端末によれば、各特定位置のうち、接触が検出されなくなってから一定時間以上経過した特定位置に表示されている、指を置くべき位置を示す画像の表示を停止させるので、その特定位置にも他の表示物を表示させることが可能になり、表示領域を有効利用することが可能になる。
（ｃ）また、前記各特定位置は、複数あり、前記携帯端末は、前記タッチパネル上の各接触位置への接触を検出する接触検出部を備え、前記表示制御部は、更に前記検出部が一の特定位置への接触を検出した場合において、他の特定位置への接触を検出していないときには、当該他の特定位置に表示させている前記画像の表示を停止させることとしてもよい。
【０１１６】
この携帯端末によれば、ユーザが片手でこの携帯端末の筐体を保持する場合に、その保持により指が接触している特定位置以外の特定位置に表示されている、指を置くべき位置を示す画像の表示を停止させるので、表示領域を有効利用することが可能になる。
（ｄ）また、前記表示制御部は、更に前記タッチパネルへの前記画像の表示を停止させている場合には、当該画像を表示させていた当該タッチパネル上の前記特定位置を除外することなく、前記特定表示物を表示させることとしてもよい。
【０１１７】
この携帯端末によれば、指を置くべき位置を示す画像の表示を停止させている場合に、その画像が表示されていた特定位置にも、アイコン等の特定表示物を表示させるので、表示領域を有効利用することが可能になる。
（ｅ）また、前記特定表示物は、複数存在し、前記携帯端末は、更に各特定表示物について、当該特定表示物のタッチパネル上の表示位置を示す位置情報を記憶する記憶部を備え、前記表示制御部は、各特定表示物のうち、前記位置情報が示す表示位置と前記タッチパネル上のいずれかの特定位置とが重複する特定表示物を、当該特定位置を除外した位置に表示させることとしてもよい。
【０１１８】
この携帯端末によれば、各特定表示物の表示位置が予め定められている場合でも、表示位置が特定位置と重複する特定表示物をその特定位置を除外して表示させることができるので、指を置くべき位置を示す画像の表示位置に、ユーザが指等を置くようにこの携帯端末の筐体を保持する限り、この特定表示物の視認性を確保しつつ、誤動作の発生を適切に防止することができる。
【０１１９】
（ｆ）また、前記携帯端末は、前記タッチパネル上の各接触位置への接触を検出する接触検出部を備え、前記表示制御部は、前記位置情報が示す表示位置と前記タッチパネル上のいずれかの特定位置とが重複する特定表示物を、当該特定位置を除外して表示させている場合において、前記検出部が当該特定位置への接触を検出しなくなってから一定時間以上経過したときには、当該特定位置に表示されている前記画像の表示を停止させると共に、当該特定表示物の表示位置を、当該特定表示物についての位置情報が示す表示位置に変更することとしてもよい。
【０１２０】
この携帯端末によれば、表示位置が特定位置と重複するために、一旦は、その特定位置を除外して表示させていた特定表示物を、その特定位置への接触が一定時間以上ない場合に、予め定められていた表示位置に変更して表示できるため、表示領域を有効利用することが可能になる。
（ｇ）また、前記表示制御部は、前記タッチパネル上の各特定位置を除外するように前記タッチパネル上の領域を特定し、当該領域内に各特定表示物を表示させることとしてもよい。
【０１２１】
この携帯端末によれば、各特定位置を除外するように特定したタッチパネル上の矩形領域にアイコン等の各特定表示物を表示させるので、指を置くべき位置を示す画像の表示位置に、ユーザが指等を置くようにこの携帯端末の筐体を保持する限り、この特定表示物の視認性を確保しつつ、誤動作の発生を適切に防止することができる。
（ｈ）また、前記表示制御部は、既定の処理が対応付けられていない表示物については、前記タッチパネル上の前記特定位置を除外することなく表示させ、当該特定位置に表示されている当該表示物の部分に重ねて前記画像を表示させることとしてもよい。
【０１２２】
この携帯端末によれば、既定の処理が対応付けられていない表示物を、特定位置を除外することなく表示させるので、誤動作の発生を防止しつつも、表示領域を有効利用することが可能になる。また、この携帯端末によれば、この表示物に重ねて、指を置くべき位置を示す画像が表示されるので、ユーザは、指等を接触させても誤動作を起こさないで済むタッチパネル上の位置を容易に知ることができる。
【０１２３】
（ｉ）また、前記携帯端末は、更に自端末に生じる地面方向への重力を加速度として検出する加速度センサを備え、前記各特定位置は、自端末の筐体の向き毎に予め定められており、前記表示制御部は、前記加速度センサによる検出結果に基づいて、自端末の筐体の向きに応じた各特定位置を除外して、各特定表示物を当該タッチパネル上に表示させることとしてもよい。
【０１２４】
ユーザが携帯端末を保持する際の筐体の向きに応じて、ユーザの指等が接触してしまう恐れのあるタッチパネル上の位置は異なると考えられる。
その点において、この携帯端末によれば、ユーザが携帯端末を保持する際の筐体の向きに応じて定まる各特定位置を除外して各特定表示物を表示させるので、筐体の向き毎に各特定位置を適切に設定しておくことにより、誤動作の発生を適切に防止することができる。
【０１２５】
（ｊ）また、前記携帯端末は、複数の筐体からなるものであり、前記タッチパネルが配置されている筐体とは異なる筐体に配置された他のタッチパネルと、各タッチパネル上の各接触位置への接触を検出する接触検出部とを備え、前記各特定位置は、各タッチパネルそれぞれに少なくとも１つずつ存在し、前記表示制御部は、更に前記検出部が１つの特定位置への接触を検出した場合に、他の特定位置に表示されている前記画像の表示を停止することとしてもよい。
【０１２６】
この携帯端末によれば、ユーザが片手でこの携帯端末の筐体を保持する場合に、その保持により指等が接触している特定位置以外の特定位置に表示されている、指を置くべき位置を示す画像の表示を停止させるので、表示領域を有効利用することが可能になる。
【産業上の利用可能性】
【０１２７】
本発明に係る携帯端末は、ユーザが、タッチパネルを用いた操作を行う場合に利用される。
【符号の説明】
【０１２８】
１    第１筐体
２    第２筐体
４、４’    連結機構
５、５’    連結駒
６、６’    ガイド溝
７    スピーカ
８    マイク
３０、３０’３１、３１’    ピン
１００    携帯電話機
１１０、１２０    タッチパネル
１１１、１２１    表示部
１１２、１２２    入力部
１３０    開閉検出センサ
１４０    記憶部
１５０    第１計時部
１５１    第２計時部
１６０    制御部
１６１    状態特定部
１６２    検出部
１６３    表示制御部
１６４    処理実行部
【図１】
0005638330.tif 000002
【図２】
0005638330.tif 000003
【図３】
0005638330.tif 000004
【図４】
0005638330.tif 000005
【図５】
0005638330.tif 000006
【図６】
0005638330.tif 000007
【図７】
0005638330.tif 000008
【図８】
0005638330.tif 000009
【図９】
0005638330.tif 000010
【図１０】
0005638330.tif 000011
【図１１】
0005638330.tif 000012
【図１２】
0005638330.tif 000013
【図１３】
0005638330.tif 000014
【図１４】
0005638330.tif 000015